(57)【特許請求の範囲】
【請求項１】
右から左方向にかけ、胴体と緩衝及び固定体を構成する右側板(１）と表板 (２）と左側板（３）と裏板（４）と糊代（５）と仕切片（６）及び小仕切片（７）を、順次、折線を介して連接し、胴体の下方に、底を構成する下袖フラップ（８，１０）と下フラップ（９，１１）とを折線を介して連接し、胴体の上方に、蓋を構成する上袖フラップ（１２，１４）と差込片（１５）付き上フラップ（１３）とを折線を介して連接した展開材（２１）を、糊代と仕切片、左側板と裏板、右側板と表板の各連接部を、順次、折線沿い内側に折曲げて重ね、糊代を接続し、内部に両仕切片を格納した偏平状態の函胴体に組み立て、偏平状態の函胴体を起立して成形すると、糊代に拘束された仕切片の一辺を軸にして、仕切片と仕切片に比べて胴体途中から底に至る長さ相当分を縮めた短い長さの小仕切片からなる緩衝及び固定体を、函本体内部にＺ字状に自立展開する構造とすると共に、仕切片の下端形状を曲線（１８）に両仕切片の連接部に二個の斜辺（１９，２０）によるＶ字の切り込みを形成した仕切片を持つ組函。
【発明の詳細な説明】
【０００１】
【産業上の利用分野】
本発明は、滋養強壮・栄養補給、錠剤、化粧液等を充填した破損し易い容器を個別包装する組函に関する。
【０００２】
【従来の技術】
破損し易い容器を個別包装する函の仕組みには、函本体と内部の緩衝及び固定体を一体物とする構成と、函本体と内部の緩衝及び固定体を別物とする構成がある。一体物は函本体と緩衝及び固定体が同材質で、シートから展開材を打ち抜いた後、複数箇所を折曲げ複数箇所を糊付けて偏平状態の胴体にする。未使用時は函を偏平の儘で保管し、使用時に偏平状態を解消して、内部に緩衝及び固定用仕切片を形成した函とする。容器を挿入して開口部を閉じる。
【０００３】
別物では、函本体と緩衝及び固定体が同材質の紙である時、表面に加工のない板の場合と、表面に波等の加工を施した段ボールを使うことがある。緩衝及び固定体が異材質の場合は、発泡スチロール・成型トレー・シュリンク包装等を単体もしくは併用して使用するので、部品点数が複数になることが多い。また、緩衝体自体が函を兼ねる場合もある。個装した包装函は一体物か別物かを問わず、複数個をまとめて大箱に入れ運搬と取扱に供する。
【０００４】
【発明が解決しようとする課題】
本発明の対象は、函本体と緩衝及び固定体を一体物とする小物用函である。多くの分野で、目的を同じくする商品同士は、競争の結果、激しい生産コストの引き下げを強いられている。この状態は包装分野でも同じであり、従来形の包装函では、一体物の特徴である折曲げと糊付け箇所の多さが、コストダウンを難しくする要因でもある。然し、緩衝及び固定機能の後退なしに目的の達成が必要になるので、小形化と簡素化は難しい。
【０００５】
中仕切を一体化した組函では、中仕切が複雑になると構成材に要する折曲げ回数と糊付け箇所が増加する。中仕切の糊付けには、ディスク・転写・噴射の３様式を使用する。ディスクは糊の食み出しによる内接不良、転写は複雑な設備構造で部分的に糊が固まり頻繁な整備を要し、噴射は粘度調整と噴射孔の詰まりの問題がある。該問題は、運転中の機械を特定要件のために止める要因となり生産性を落とす。また、接続部の目視検査も欠かせない。
【０００６】
折曲げ回数と糊付け箇所の多さは、函使用前の形状である偏平状態を嵩張りやすくさせ、製函機の動きも複雑にして設備を高価にする。偏平状態から起立させ函胴体を組み立てた後、容器を挿入する際、緩衝及び固定体と容器表面のラベルが干渉したり、蓋や底のフラップと緩衝及び固定体が干渉する等の問題がある。本発明は、緩衝及び固定機能の低下と補助材料なしに緩衝体の簡素化を進め、小型化して問題を解決した包装用組函を提供する。
【０００７】
【課題を解決するための手段】
本発明は、右から左方向にかけ、胴体と緩衝及び固定体を構成する右側板と表板と左側板と裏板と糊代と仕切片及び小仕切片を、順次、折線を介して連接し、胴体の下方に、底を構成する下袖フラップと下フラップとを折線を介して連接し、胴体の上方に、蓋を構成する上袖フラップと差込片付き上フラップとを折線を介して連接した展開材を、糊代と仕切片、左側板と裏板、右側板と表板の各連接部を、順次、折線沿い内側に折曲げて重ね、糊代を接続し、内部に両仕切片を格納した偏平状態の函胴体に組み立て、偏平状態の函胴体を起立して成形すると、糊代に拘束された仕切片の一辺を軸にして、仕切片と仕切片に比べて胴体途中から底に至る長さ相当分を縮めた短い長さの小仕切片からなる緩衝及び固定体を、函本体内部にＺ字状に自立展開する構造とすると共に、仕切片の下端形状を曲線に両仕切片の連接部に二個の斜辺によるＶ字の切り込みを形成した仕切片を持つ組函である。
【０００８】
【発明の実施の形態】
本発明は、破損しやすい小形容器の個別包装用組函に於いて、函本体の小形化に加え、該函本体と一体化した緩衝及び固定体を構成する仕切片の折曲げ回数を減らし、糊代をなくして簡素化した構造について説明する。また、函本体の糊代に連接する仕切片の一辺を拘束する以外は全て非拘束として、偏平状態に畳まれた函を起立して胴体とする際に函内部で仕切片がＺ字状を呈し、該仕切片が容器形状に合わせて動く構成とした。
【０００９】
仕切片の連接部に設けた折線は曲げやすいリード罫を使用した。更に、仕切片の隅の所要箇所に丸みを持たせ、折線を挟む連接部にＶ字の切り込みを入れ、容器を挿入する際の仕切片と容器表面のラベルの干渉、蓋や底フラップで開口部を閉塞する際のフラップ類と仕切片の干渉を排除した。組函の特長は、仕切片だけで容器を固定し、補助材料を使用しないことにある。緩衝及び固定機能は、小型化と簡素化前の組函と比べて遜色なく充分に能力を発揮した。
【００１０】
【作用】
本発明の組函は、函本体に連接する緩衝及び固定体の構成材を少なく糊代なしとし、函胴体内に所要形状の緩衝及び固定体を自立形成せしめる。更に、該緩衝及び固定体の構成は、容器形状に合わせ自由に変形することを可能にする。
【００１１】
【実施例】
図１は組函を展開した裏の平面図である。図２〜４は展開材を製函機にかけ、包装対象物の容器を挿入可能な状態にする過程の平面図である。図５は函胴体に組み立て上下が開放状態にある斜視図である。図６は、図５の矢印方向からみた両仕切片の状態図である。図７は、図６に容器を挿入し、両仕切片で容器の蓋側面と胴体を、それぞれ支えた状態図である。図８はジッパー付き組函の完成斜視図である。
【００１２】
図１のように、展開材２１は右より左方向に、胴体を構成する右側板１と表板２と左側板３と裏板４及び糊代５を連接する。該糊代に緩衝及び固定体を構成する仕切片６と小仕切片７を連接する。展開材下方に、胴板に連接した底を構成する下袖フラップ８，１０及び下フラップ９，１１を配置する。展開材上方に、胴板に連接した蓋を構成する上袖フラップ１２，１４及び差込片１５付き上フラップ１３を配置する。折線はａ，ｂ，ｃ（開封部）をリード罫か押し罫、他を押し罫とした。
【００１３】
図２〜図４により、展開材２１から組函２２とする過程を説明する。先ず、糊代５と仕切板６の間、次いで、右側板３と裏板４の間を、順次、折線沿いに内側に折曲げ、糊代５に接着剤を塗布する。この過程で小仕切片７は外折りされ仕切片６の下になる。同様に右側板１と表板２の折線沿いに内側に折曲げて、右側板２と糊代５を貼合する。函胴体を偏平に仕上げると、緩衝及び固定体を構成する仕切片が少ない分、その嵩張りは小さく扱いやすい。
【００１４】
図５は、偏平状態を起した上下開放状態にある函で、該状態で容器の挿入が可能になる。図６と図７は容器の挿入前後の仕切片の動きを示し、Ｚ形状を呈する両仕切片は、小仕切片７が容器の蓋の側面及び天面、仕切片６が容器の胴体を支える。緩衝及び固定体を構成する連接部の折線ａ，ｂをリード罫入りとすると、自由端付き仕切片７は動きやすく、容器形状による変形が容易である。従って、容器寸法への対応能力が優れ、常に柔らかい緩衝及び固定効果を提供する。
【００１５】
図８は組函２２の完成図で、右側板２と表板３に跨がるジッパー１７，１７′が付く。ジッパーは右側板面の切り込み１６を利用すると開封しやすい。図示のように、仕切片６の下辺を曲線１８でまとめ、仕切片６と小仕切片７が連接する上辺を隅に丸みの付いた斜辺１９，２０でＶ字の切り込みを入れる。本形状は、函の開口底部から挿入する容器のラベルもしくは差込片１５付きフラップ１３と仕切片６と小仕切片７の先端部が干渉し合うことを防止する。
【００１６】
【発明の効果】
本発明の仕切片を持つ組函から下記の効果を得た。
１）少ない部材で緩衝及び固定体を構成し、折曲げ回数を減らし接着剤を使用しない構造により、組函の小形化と構成の簡素化が進み、包装の自動化対応を容易にした。
２）緩衝及び固定体を構成する両仕切片は、広範囲の容器形状に対して、柔らかい緩衝及び固定効果を提供した。
３）緩衝及び固定体に起因する干渉作用を排除した。
４）小形化による板紙消費量の減少に加え、プラスチック等の補助緩衝材の不使用で、製函工程が簡素化し生産コストの低減に寄与した。
５）組函内の緩衝及び固定体に糊を使用しないので、内接不良がなく目視検査の必要がない。
６）緩衝及び固定体の成形は折曲げだけで済み、ディスク・転写・噴射の様式による糊付け部分を持つ函に比べ、生産量は３倍に達した。
７）板紙で構成した組函は、用済み後の分別作業を容易にし、環境に易しい廃棄処理を可能にした。
８）輸送や保管等の効率を向上し間接経費の削減に寄与した。
【図面の簡単な説明】
【図１】組函を展開した裏の平面図である。
【図２】糊代と仕切片が連接する折線を内側に折曲げた状態の平面図である。
【図３】図２の左側板と裏板が連接する折線を内側に折曲げた状態の平面図である。
【図４】図３の右側板と表板が連接する折線を内側に折曲げ、糊代に重ねて接続した状態の平面図である。
【図５】偏平状態から起立した函胴体の斜視図である。
【図６】図５の矢印方向から見た容器のない時の両仕切片の状態図である。
【図７】図６に容器を挿入した時の両仕切片の状態図である。
【図８】ジッパー付き組函の完成斜視図である。
【符号の説明】
１ 右側板
２ 表板
３ 左側板
４ 裏板
５ 糊代
６ 仕切片
７ 小仕切片
８, １０ 下袖フラップ
９，１１ 下フラップ
１２，１４ 上袖フラップ
１３ 上フラップ
１５ 差込片
１６ 切り込み
１７，１７′ ジッパー
１８ 曲線
１９，２０ 斜辺
２１ 展開材
２２ 組函
２３ 容器
【図１】
0004025091.tif 000002
【図２】
0004025091.tif 000003
【図３】
0004025091.tif 000004
【図４】
0004025091.tif 000005
【図５】
0004025091.tif 000006
【図６】
0004025091.tif 000007
【図７】
0004025091.tif 000008
【図８】
0004025091.tif 000009